(57)【特許請求の範囲】
【請求項１】
トレイ柱部（３５）が形成されたトレイシステム（３０）のためのラッチ機構（５０）であって、
前記トレイ柱部（３５）は、横方向で間隔のあいたアームレスト（２３）を有する子供用の幼児椅子構造体（１０）に取り付けるために使用され、
各前記アームレスト（２３）には、ソケット部（２８）が形成されて対応する前記トレイ柱部（３５）を受け、
前記ソケット部（２８）には、複数の開口部が形成されたラッチ機構（５０）において、
当該ラッチ機構（５０）は、
各前記トレイ柱部（３５）内に移動可能に取り付けられ、かつ前記トレイ柱部（３５）の外方に突出するロックピン（５５ａ）を有するラッチ部材（５５）を備え、
前記ラッチ部材（５５）は、対応する１つの前記アームレスト（２３）と係合し、対応する１つの前記トレイ柱部（３５）が対応する１つの前記アームレスト（２３）の前記ソケット部（２８）内へ最初に挿入されると、前記ロックピン（５５ａ）の対応する前記トレイ柱部（３５）内への後退に作用し、
各前記ラッチ部材（５５）は、対応する１つの前記トレイ柱部（３５）内で回動取り付けされ、かつバネ付勢されて対応する１つの前記アームレスト（２３）の前記ソケット部（２８）にある１つの前記開口部との係合のために対応する１つの前記トレイ柱部（３５）から突出し、
前記ラッチ部材（５５）は、前記トレイ柱部（３５）内でその回転軸から前記トレイ柱部（３５）の挿入方向後方に延在することを特徴とするラッチ機構。
【請求項２】
前記ロックピン（５５ａ）は、ほぼ長方形に形成され、対応する１つの前記アームレスト（２３）の前記ソケット部（２８）にある前記開口部の１つと係合するときに押圧力／引張力に抗し、
各前記アームレスト（２３）は、対応する１つの前記トレイ柱部（３５）が最初に対応する１つの前記アームレスト（２３）の前記ソケット部（２８）内に挿入されるときに前記ロックピン（５５ａ）の対応する１つの前記トレイ柱部（３５）への後退に作用するように位置した傾斜面を有し、
前記ソケット部（２８）にある前記開口部は、前記ロックピン（５５ａ）の選択的な係合をもたらし、前記トレイシステム（３０）を幼児椅子構造体（１０）の選択位置に固定することを特徴とする請求項１に記載のラッチ機構。
【請求項３】
対応する１つの前記ラッチ部材（５５）との係合のために対応する１つの前記トレイ柱部（３５）内にスライド可能に取り付けられ、前記ラッチ部材（５５）の回動運動に作用して前記ロックピン（５５ａ）を対応する１つの前記トレイ柱部（３５）内へ後退させる作動腕部をさらに備えることを特徴とする請求項１または２に記載のラッチ機構。
【請求項４】
各前記作動腕部（５７）は、対応する１つの前記ラッチ部材（５５）と係合可能であり、当該作動腕部（５７）が対応する１つの前記ラッチ部材（５５）と係合するように移動されると前記ラッチ部材（５５）の前記回動運動に作用するカム面（５８）を有することを特徴とする請求項３に記載のラッチ機構。
【請求項５】
前記トレイシステム（３０）に取り付けられ、かつ前記作動腕部（５７）に接続されるスライド連結部（５３）をさらに備え、
前記スライド連結部（５３）は、前記トレイシステム（３０）に位置付けられて操作されると当該スライド連結部（５３）及び前記作動腕部（５７）のスライド運動を引き起こす作動ボタン（５２）を有することを特徴とする請求項４に記載のラッチ機構。
【請求項６】
各前記作動腕部（５７）には、係合カップ部（５４）と結合された直立係合部材（５９）が形成されており、
前記係合カップ部（５４）は、前記スライド連結部（５３）に形成されて前記スライド連結部（５３）のスライド運動を当該作動腕部（５７）に伝達することを特徴とする請求項５に記載のラッチ機構。
【請求項７】
シート部分（２２）と、横方向に間隔のあいたアームレスト（２３）であってそれぞれに長手方向に延在するソケット部（２８）が形成されたアームレスト（２３）と、を有し、前記ソケット部（２８）が複数の間隔のあいた開口部を有するシート部材（２０）と、
後方に延在するトレイ柱部（３５）が形成された第１トレイ部材（３２）を有し、各前記トレイ柱部（３５）が対応する１つの前記アームレスト（２３）の前記ソケット部（２８）と一直線に並ぶことが可能なトレイシステム（３０）と、
複数の後退可能なロックピン（５５ａ）を有し、各前記ロックピン（５５ａ）が対応する１つの前記アームレスト（２３）の前記ソケット部（２８）にある選択した１つの前記開口部との係合のために対応する１つの前記トレイ柱部（３５）に取り付けられたラッチ機構（５０）と、
を備え、
各前記ロックピン（５５ａ）は、対応する１つの前記アームレスト（２３）の外面と係合可能であり、対応する１つの前記トレイ柱部（３５）が対応する１つの前記アームレスト（２３）の前記ソケット部（２８）内へ挿入されると当該ロックピン（５５ａ）が後退し、
各前記ロックピン（５５ａ）は、付勢され、対応する１つの前記アームレスト（２３）の前記ソケット部（２８）にある１つの前記開口部と合わせられると対応する１つの前記トレイ柱部（３５）から突出し、
各前記ロックピン（５５ａ）は、対応する１つの前記トレイ柱部（３５）内で回動されたラッチ部材（５５）の一部として形成され、
前記ラッチ部材（５５）は、前記トレイ柱部（３５）内でその回転軸から前記トレイ柱部（３５）の挿入方向後方に延在することを特徴とする幼児椅子。
【請求項８】
各前記ロックピン（５５ａ）は、ほぼ長方形状をなし、
各前記アームレスト（２３）の前記外面は、傾斜しており、対応する１つの前記トレイ柱部（３５）が対応する１つの前記アームレスト（２３）の前記ソケット部（２８）内へ挿入されると対応する１つの前記ロックピン（５５ａ）の後退に作用することを特徴とする請求項７に記載の幼児椅子。
【請求項９】
前記ラッチ機構（５０）は、複数の作動腕部（５７）をさらに備え、
各前記作動腕部（５７）は、対応する前記トレイ柱部（３５）内でスライド可能に取り付けられ、対応する前記ラッチ部材（５５）と解除可能に係合するように移動し、
各前記作動腕部（５７）は、対応する１つの前記ラッチ部材（５５）と係合可能なカム面（５８）を有し、前記カム面（５８）が、当該作動腕部（５７）が対応する１つの前記ラッチ部材（５５）と係合するように移動されると、前記ラッチ部材（５５）の回動に作用して対応する１つの前記ラッチ部材（５５）の前記ロックピン（５５ａ）を後退させることを特徴とする請求項７または８に記載の幼児椅子。
【請求項１０】
前記ラッチ機構（５０）は、
前記トレイシステム（３０）にスライド可能に取り付けられ、横方向に延在して前記作動腕部（５７）の双方と係合するスライド連結部（５３）をさらに備え、
前記スライド連結部（５３）は、当該スライド連結部（５３）のスライド移動を引き起こすように操作可能な中央に位置する作動ボタン（５２）を有することを特徴とする請求項９に記載の幼児椅子。
【請求項１１】
アームレスト（２３）を有する子供用の幼児椅子のためのトレイシステム（３０）であって、
各前記アームレスト（２３）には、長手方向に延在するソケット部（２８）が形成されたトレイシステムにおいて、
当該トレイシステム（３０）は、
後方に延在する複数のトレイ柱部（３５）が形成されたトレイ部材（３２）であって、各前記トレイ柱部（３５）が対応する１つの前記アームレスト（２３）の前記ソケット部（２８）と一直線に並ぶことが可能であり、前記ソケット部（２８）内で位置付け可能であるトレイ部材（３２）と、
中央に位置付けられた作動部材（５２）、スライド装置及びバネ付勢された複数のラッチ部材（５５）を有するラッチ機構（５０）と、
を備え、
各前記ラッチ部材（５５）は、対応する１つの前記トレイ柱部（３５）から延在可能であり対応する１つの前記アームレスト（２３）の前記ソケット部（２８）に形成された開口部の選択された１つと係合するロックピン（５５ａ）を有し、
前記スライド装置は、前記作動部材（５２）が操作されて前記トレイ柱部（３５）が前記アームレスト（２３）の前記ソケット部（２８）内で位置調節されることを可能とすると、バネ付勢された前記ラッチ部材（５５）を当該ラッチ部材（５５）と係合している選択された１つの前記開口部から持ち上げ、
前記スライド装置は、
前記作動部材（５２）に接続され、かつ前記トレイ部材（３２）の下方にスライド可能に取り付けられたスライド連結部（５３）と、
それぞれが対応する１つの前記トレイ柱部（３５）内でスライド可能に取り付けられた複数の作動腕部（５７）と、
を備え、
各前記作動腕部（５７）は、前記スライド連結部（５３）に接続され、前記作動部材（５２）が押下されると、対応する１つの前記ラッチ部材（５５）と係合可能であり、
各前記ラッチ部材（５５）は、対応する１つの前記トレイ柱部（３５）内で回動取り付けされており、
各前記作動腕部（５７）は、対応する１つの前記ラッチ部材（５５）と係合可能なカム面（５８）を有し、前記カム面（５８）が、前記作動部材（５２）が押下されると対応する１つの前記トレイ柱部（５５）内への前記ロックピン（５５ａ）の後退のために対応する１つの前記ラッチ部材（５５）の回動運動に作用し、
前記ラッチ部材（５５）は、前記トレイ柱部（３５）内でその回転軸から前記トレイ柱部（３５）の挿入方向後方に延在することを特徴とするトレイシステム。
【請求項１２】
各前記ロックピン（５５ａ）は、ほぼ長方形状をなして形成されており、当該トレイシステムの押圧力／引張力に抗して当該ロックピン（５５ａ）を選択された１つの前記開口部と係合されたままとすることを特徴とする請求項１１に記載のトレイシステム。
【請求項１３】
各前記アームレスト（２３）には、傾斜した外面が形成されており、
各前記ロックピン（５５ａ）は、対応する１つの前記トレイ柱部（３５）が最初に対応する１つの前記アームレスト（２３）の前記ソケット部（２８）内へ挿入されると、対応する１つの前記アームレスト（２３）の傾斜した前記外面と係合し、対応する１つの前記トレイ柱部（３５）内への当該ロックピン（５５ａ）の後退を引き起こしかつ前記ラッチ機構（５０）の操作を必要とすることなく当該トレイシステム（３０）の子供用の前記幼児椅子への取り付けを可能とし、
前記ロックピン（５５ａ）は、対応する１つの前記トレイ柱部（３５）が対応する１つの前記アームレスト（２３）の前記ソケット部（２８）内へ挿入されると、最初に１つの前記開口部と係合することを特徴とする請求項１２に記載のトレイシステム。
【発明の詳細な説明】
【技術分野】
【０００１】
本発明は、一般的に子供用の幼児椅子に関し、より詳細には、位置調節を提供しながらトレイシステムの容易な取り付けを可能とする幼児椅子のトレイシステムのためのラッチ機構に関する。
【背景技術】
【０００２】
さまざまな製品は、両親によって使用されており、彼らの子供を位置付けて子供が乳児である期間から子供がテーブルで適切に座るのに十分に年を取りかつ大きくなるまで、子供に食事を与えることを容易にすることに役立っている。このような製品の１つは、幼児椅子であり、これは、主として乳児及び小さい歩き始めの幼児を高い位置で支持するために使用され、面倒を見る人は、容易に子供に食事を与えることができる。幼児椅子は、給食トレイを有する安全かつ安定したシート領域を提供する自立ユニットであって給食トレイが幼児椅子から取外し可能であり幼児椅子への子供の配置を容易にしかつトレイ及び幼児椅子の構造体の清掃を容易にする自立ユニットである。幼児椅子は、高さ調節機構を組み込んでおり、シートは、トレイ機構が幼児椅子から取り外され、幼児椅子に位置付けられている子供がテーブルまで押し上げられるように、垂直方向で位置付けられてさまざまなテーブルの高さに適応させる。
【０００３】
幼児椅子は、さまざまなトレイの選択肢を提供する。いくつかの幼児椅子の構造体には、主として大きな幼児椅子のトレイの下にある小さな軽食用トレイが設けられている。これら軽食用トレイは、幼児椅子のシートに取り付けられており、内外に調節されて異なる子供のサイズに適応する能力を有さない。さらに、軽食用トレイが幼児椅子のシートに直接取り付けられるため、世話をする人は、軽食用トレイまでかつトレイを越えて子供を持ち上げて幼児椅子に子供を座らせるまたは幼児椅子から子供を移動させる必要がある。いくつかの軽食用トレイがツールなしで幼児椅子のシートから取り外せるが、軽食用トレイの取外しは、主として両手を必要とし、軽食用トレイは、幼児椅子にいる子供がテーブルに向けて押し上げられているときのように、通、常幼児椅子が大型トレイを用いずに使用されているときにだけ取り外される。軽食用トレイが主として位置的に調節可能でない一方、大型トレイは、通常軽食用トレイ上に位置的に調節可能である。
【０００４】
商業的に入手可能なごく一部の幼児椅子は、トレイの接続部を嵌め込む柱部を使用しており、トレイには、後方に突出する水平柱部が形成され、水平柱部は、幼児椅子の構造体に形成されたソケット部内に受けられる。柱部及びソケット部のデザインは、幼児椅子のシートに締め付けられるときにトレイが容易に調整され、トレイが幼児椅子の構造体との強固な連結接続を提供して製品の使用中の悪用の極端な例に耐える点で、他のトレイ取付デザインよりも有利である。そうであっても、柱部及びソケット部のデザインは、欠点を有さないのではない。柱部及びソケット部によるトレイ取付デザインは、主として柱部及びソケット部の間の大きな摩擦量やトレイを幼児椅子のシートに接続する前にトレイ調節機構を作動させる必要性に困っている。
【０００５】
摩擦の問題は、主としてトレイ柱部と幼児椅子のソケット部の構成部品とに異なる材料を用いることによって限定的な方法で解決される。異なる材料は、摩擦の問題の軽減を助ける一方、トレイを取り付ける柱部及びソケット部は、トレイ柱部がしばしば拘束したまたは貼り付いたままとなって幼児椅子に対して位置的に調節することがしばしば困難なままとなる。世話をする人は、挫折してトレイ全体を取り外すことをおろそかにする。その結果、取外し可能なトレイを有する価値は、世話をする人によって実現されないまたは正当に評価されない。
【０００６】
さらに、多くの場合に使用者がトレイを幼児椅子の構造体に取り付けようと試みたところでトレイ柱部に位置するロック機構が柱部のソケット部への挿入を阻害していることに気づくように、ソケット部を受ける幼児椅子にトレイ柱部を挿入することは、面倒である。結果として、ロック機構は、トレイが幼児椅子に取り付けられる前にまず作動されなければならない。片手のみを用いてトレイを取り付けようとしながらロック機構を作動することは、世話をする人が負わなければならない最も困難な負担である。トレイラッチ機構は、１９８９年２月２８日にリチャードコーン(Richard Cone)に発行された特許文献１に開示されており、トレイラッチ機構は、トレイが幼児椅子に対するトレイの位置を調節することと、トレイが幼児椅子から取り外されるたびに同一の選択位置に位置付けられることと、を可能とする。トレイラッチ機構は、中央前方の作動ハンドルを引いて幼児椅子に対するトレイの位置を調節することによってと、ハンドルを押してトレイを幼児椅子のアームレストから取り外すまたはアームレストに取り付けることと、によって作動される。
【０００７】
また、１９９３年８月２４日にダグラスゴレンズ(Douglas Golenz)等に付与された特許文献２は、前方中央部に位置付けられた作動レバーを教示しており、作動レバーは、いくつかの連結部を介して幼児椅子のトレイを取り外すためのラッチ機構を作動し、連結部は、中央部のレバーを引くことが幼児椅子のアームレストとの係合を開放するように中央部材の回転に作用して横方向に位置付けられた係合部材を作動する。同様に、１９９４年９月２０日にツーユークオ(Tzu-Yu Kuo)に付与された特許文献３の幼児椅子のトレイにある前方中央部の作動部材は、カムアクチュエータを横方向に延在する作動腕部にスライドさせ、トレイ装置の側部にある係合部材を作動する。
【０００８】
他の中央に取り付けられた作動レバーであって連結部を移動させてトレイにラッチ及びラッチ解除動作をもたらす作動レバーは、１９９６年２月６日にジョーンマリオル(John Mariol)等に発行された特許文献４に示されている。作動連結部は、幼児椅子のアームレストの側部に形成された凹部と係合し、トレイの船首から船尾への(fore-and-aft)調節機能を形成する。特許文献５は、トレイの下方にある水平及び垂直構成部材を移動させる操作が可能な中央部のアクチュエータと反対側にある一対の支持部とを有し、一対の支持部それぞれが内側にある複数の弾性凸部と支持部間に結合された移動可能なトレイとを有する幼児椅子を開示している。支持部は、幼児椅子の脚部に位置する管部と幼児椅子に開放可能に結合された複数の鋲部とを備える。
【０００９】
いずれの従来技術も、水平に延在するトレイ柱部の対応するソケット部への挿入に作用するラッチ機構の操作を必要とすることなく幼児椅子の構造体へトレイを片手で挿入することが可能なラッチ機構や位置調節機構を示していない。幼児椅子のトレイ構造体のためのラッチ機構であって幼児椅子へのトレイの容易な位置付けを可能とし、トレイの使用に改善された柔軟性をもたらすラッチ機構を提供することは、望ましい。
【先行技術文献】
【特許文献】
【００１０】
【特許文献１】米国特許第４８０７９２８号明細書
【特許文献２】米国特許第５２３８２９２号明細書
【特許文献３】米国特許第５３４８３７４号明細書
【特許文献４】米国特許第５４８９１３８号明細書
【特許文献５】米国特許第６４１６１２４号明細書
【発明の概要】
【発明が解決しようとする課題】
【００１１】
本発明の目的は、中央に位置する作動機構の操作を必要とすることなく幼児椅子構造体に取り付けることができるトレイ柱部及びソケット部の取付装置を提供することによって従来技術の欠点を克服することである。
【００１２】
本発明の他の目的は、トレイ柱部及びソケット部の取付装置と共に実施可能な幼児椅子のトレイシステムのためのラッチ機構を提供することである。
【００１３】
本発明のさらに他の目的は、幼児椅子のトレイシステムのためのラッチ機構であって最初の幼児椅子構造体への挿入の間の受動的な作動をもたらすがいったんトレイが幼児椅子構造体に取り付けられると非受動的に機能するラッチ機構を提供することである。
【課題を解決するための手段】
【００１４】
本発明の特徴は、ソケット部の底面にある開口部と係合するためにトレイ柱部の下方に突出するラッチ部材であって幼児椅子構造体の選択位置にトレイシステムを位置的に固定するラッチ部材をトレイ柱部が組み込んでいることである。
【００１５】
本発明の他の特徴は、幼児椅子構造体の各アームレストの前方部分に傾斜面が形成されており、傾斜面がラッチ部材をトレイ柱部に向けてカム作動させてアームレストにあるソケット部内へのトレイ柱部の受動的な挿入を可能とすることである。
【００１６】
本発明の有利点は、引込式のラッチ部材がラッチ機構の操作を必要とすることなく幼児椅子構造体へのトレイシステムの挿入を可能とすることである。
【００１７】
本発明のさらに他の特徴は、ラッチ部材がバネ荷重されており、ラッチ部材をソケット部にある開口部と係合するように付勢することである。
【００１８】
本発明の他の有利点は、ラッチ部材がソケット部の底面にある第１の開口部と係合するように回動し、アームレストへの受動的な挿入の後にトレイシステムをラッチすることである。
【００１９】
本発明のさらに他の有利点は、トレイシステムが幼児椅子構造体に取り付けられた後にのみトレイシステムの位置調節がラッチ機構の操作を必要とすることである。
【００２０】
本発明のさらに他の有利点は、トレイシステムが幼児椅子構造体からのトレイシステムの取外しのためにラッチ機構の操作を必要とすることである。
【００２１】
本発明のさらに他の特徴は、ラッチ機構がトレイシステムの前方において中央部に位置付けられた作動ボタンを有することである。
【００２２】
本発明のさらに他の有利点は、作動ボタンが片手を用いた操作のために世話をする人によって便利にアクセス可能であることである。
【００２３】
本発明の他の特徴は、作動ボタンがトレイシステムの下方に位置付けられたスライド部材を移動させて各トレイ柱部内に収容された連結部の動作のために横方向に拡げることである。
【００２４】
本発明のさらに他の特徴は、トレイ柱部の各作動連結部がトレイシステムの下方にある中央スライド部材と係合するスライド可能な作動腕部を有することである。
【００２５】
本発明の他の有利点は、中央に位置付けられた作動ボタンが反対側のトレイ柱部にある作動腕部と同時に移動するように動作可能であることである。
【００２６】
本発明のさらに他の特徴は、スライド可能な各作動腕部がラッチ部材と係合するように移動されるとラッチ部材の回動運動を引き起こすカム面を有し、アームレストのソケット部にある選択された１つの開口部からのラッチ部材の開放に作用することである。
【００２７】
本発明のさらに他の目的は、トレイシステムのためのラッチ機構であって、幼児椅子構造体のソケット部への最初の挿入の間に受動的に作動されるがいったんソケット部にある開口部へ係合されると非受動的に動作するラッチ機構を提供することである。
【００２８】
本発明のさらなる特徴は、バネ荷重されたロックピンが、いったんロックピンがソケット部にある第１の開口部と一致すると、非受動的に動作することである。
【００２９】
本発明のさらに他の目的は、子供用の幼児椅子のトレイシステムのためのラッチ機構であって、構造的に耐久性を有し、製造が安価であり、維持に心配がなく、組み立てが容易であり、かつ使用が簡単かつ効率的であるラッチ機構を提供することである。
【００３０】
これら及び他の目的、特徴及び有利点は、本発明において、子供用の幼児椅子におけるトレイシステムのためのラッチ機構であってトレイ柱部及びソケット部の取付配置を提供することによって達成される。ラッチ機構は、中央部、前方の作動ボタンであってトレイシステムの下方に取り付けられたスライド連結部を移動させる作動ボタンを有する。スライド連結部は、各トレイ柱部内にスライド可能に取り付けられた作動腕部に接続されている。作動腕部は、長方形のロックピンを有するラッチ部材を回動させるカム面を有し、ロックピンがトレイ柱部を受けるソケット部にある選択された１つの開口部と係合するようにトレイ柱部の下方に延在する。ラッチ部材は、ソケット部にある選択された開口部と係合するようにバネ荷重されている。幼児椅子構造体のアームレストそれぞれの前方面は、傾斜しており、ロックピンをトレイ柱部へカム作動させて幼児椅子構造体へのトレイシステムの受動的な取り付けを可能とするが、いったんロックピンが開口部の１つと係合すると位置調節または取外しに作用するために非受動的な操作を必要とする。
【００３１】
本発明の有利点は、本発明の以下の詳細な開示を考慮すること、特に添付の図面と併せて採用することによって明確になる。
【図面の簡単な説明】
【００３２】
【図１】本発明の原理を組み込んだ幼児椅子を示す前方斜視図である。
【図２】トレイシステムのトレイ柱部及び幼児椅子構造体のソケット部を通る断面図であってトレイシステムを幼児椅子構造体に取り付けることを描写する断面図である。
【図３】幼児椅子構造体から取り外されたトレイシステムを示す断面図である。
【図４】トレイ柱部が備えられたトレイシステムの下部トレイを示す側面図であって下部トレイの部分を破断してトレイ柱部内の構成部品を視認可能とした側面図である。
【図５】下部トレイ、上部トレイ及びトレイ挿入部を有するトレイシステムを示す分解上方斜視図である。
【図６】図５に示すトレイシステムを示す分解下方斜視図である。
【図７】トレイシステムを示す組み立て下方斜視図である。
【図８】下部トレイから取り外された上部トレイを有する下部トレイを示す底面図である。
【図９】位置調節作動機構を示す上方斜視図であってスライド連結部の運動が破線で示される上方斜視図である。
【図１０】トレイシステムを示す側面図であってトレイシステムの部品が破断されて位置調節作動機構の良好な視認を可能とした側面図である。
【発明を実施するための形態】
【００３３】
ここで、図面を参照することで、本発明の原理を組み込んだ幼児椅子は、最もよく示される。一般的な構造体の点から見て、幼児椅子は、幼児椅子構造体１０及び複数トレイシステム３０（以下、同様に「トレイシステム３０」と称する）を有する。幼児椅子構造体１０は、ベース部分１２及びほぼ垂直に延在する直立部分１３であって鋭角でベース部分１２と接触する直立部分１３を有するＺ字状のフレーム１１と、シート部材２０と、を有する。直立部分１３は、伸縮自在脚部１４それぞれを受けるための横方向に間隔のあいた一対のベース脚部１７を有し、伸縮自在脚部１４は、選択的に伸張位置にバネ付勢されており、シート部材２０及びシート部材２０に座らされる子供の重量を相殺する。ベース脚部１７に対する伸縮自在脚部１４の位置は、伸縮自在脚部１４のそれぞれに支持されたアクチュエータ１６を有する高さ調節ラッチ機構１５によって制御される。ベース部分１２には、好ましくはベース部分１２及び直立部分１３のベース脚部１７の間の結合部において１組の固定ホイール１９と、一対のキャスタホイール１８とが備えられており、Ｚ字状のフレーム１１に機動力をもたらす。
【００３４】
Ｚ字状のフレーム１１は、シート部材２０をフレーム１１の上部分で支持する。シート部材２０には、ほぼ水平のシート部分２２が形成されており、シート部分２２は、シート部分２２の２つの横側部においてアームレスト２３を形成する直立側壁部２３と、かつアームレスト２３間の背面においてシートバック２５と、によって囲まれている。シート部材２０の前方は、シート部分２２に座らされている子供の脚を収容するために開口しており、シート部分２２の前端部から下方に延在するフットレスト支持部２４が形成されている。フットレスト支持部２４には、好ましくは垂直に間隔のあいた複数対の水平に方向付けられた取付スロット２６が形成されており、フットレスト２７は、シート部材２０に支持される子供のサイズに応じた選択的な位置付けのために取付スロット２６に挿入される。シート部材２０は、Ｚ字状のフレーム１１によって支持されているが、側壁部２３が好ましくはシート部材２０の後部分に沿ってＺ字状のフレーム１１から間隔をあけて、側壁部２３が好ましくは一方の伸縮自在脚部１４から他方に向けて湾曲するように位置付けられている。
【００３５】
トレイシステム３０は、第１及び第２部材３２、４０、すなわち以下でより詳細に説明されるような幼児椅子構造体１０に取外し可能に取り付けられる小型の下部トレイ３２及び大型の上部トレイ４０と、図５及び図６の拡大図で最もよく示される任意的なトレイ挿入部４７と、の形状をほぼなしている。下部トレイ３２は、この小型トレイが移動中に大型の上部トレイ４０よりも少ない空間を占めるために移動トレイと称され、上部トレイ４０の底面に形成された凹部４１に取り付けられるように形付けられている。上部トレイ４０の底面には、横方向に間隔のあいた一対のラッチ部材４３であって下部トレイ３２の側面に係合するように位置付けられたラッチ部材４３が設けられ、上部トレイ４０が下部トレイ３２の頂部に取り付けられることを可能とする。ラッチ部材４３は、好ましくは上部トレイ４０の底面に沿ってスライド可能であり、外方開放位置及び内方係合位置の間で移動可能である。
【００３６】
ラッチ部材４３は、上部トレイ４０の底面の下方に突出しており、下部トレイ３２の側面部と係合可能であり、下部トレイ３２の上面は、大型の上部トレイ４０を入れ子にする。上部及び下部トレイ４０、３２間の入れ子配置した状態で、上部トレイ４０は、下部トレイ３２の上方に短距離であって上部トレイ４０を形成する材料の厚さとほぼ同等である短距離でのみ位置付けられている。上部トレイ４０が上部トレイ４０を下部トレイ３２に対して移動可能とすることができる位置調節機構を組み込まないため、トレイシステム３０の全体的な垂直方向の高さは、最小化されて片手で操作することが容易となる。
【００３７】
好ましくは、ラッチ部材４３は、内方にある係合位置に向けてバネ付勢されており、世話をする人は、両側にあるラッチ部材４３を握ってラッチ部材４３を外方に押す必要があり、下部トレイ３２の側部の開放に作用しかつ下部トレイ３２からの上部トレイ４０の取外しを可能とする。逆に、各ラッチ部材４３の外形は、ラッチ部材４３の内側部４４に沿って傾けられており、上部トレイ４０は、上部トレイ４０を下部トレイ３２の上方に位置付けしてそれを下部トレイ３２に押圧することによって簡単に下部トレイ３２に取り付けられる。ラッチ部材４３の傾けられた内側部４４は、外方にラッチ部材４３をカム作用させ(cam)、ラッチ部材４３を係合位置に閉じるバネ付勢を用いて下部トレイの両側とのラッチ部材４３の係合を可能とする。
【００３８】
上部トレイ４０の上面４５は、陥没しており、食品及び他の品目を保持する縁のある表面４５を形成する。トレイ挿入部４７は、図５及び図６の拡大図において反射されるように上部トレイ４０の上面４５上に配置され、上部トレイ４０の清掃を容易にする迅速に取外し可能な表面を形成する。トレイ挿入部４７には、トレイ挿入部４７の中央において小さな固定唇部４９を組み込んだ下方に延在する後方出張部４８が形成されている。トレイ挿入部４７は、上部トレイ４０の陥没した上面４５に取り付けられるように形付けられており、トレイ挿入部４７は、上部トレイ４０の側面に沿って下方に延在する後方出張部４８を有し、固定唇部４９は、上部トレイ４０の下方にスナップ係合して上部トレイ上にトレイ挿入部４７を取外し可能に固定する。図５及び図６に示すように、トレイ挿入部４７は、例えばカップのための円形の区画を有して区切られて形成されている。
【００３９】
下部トレイ３２には、横方向に間隔のあいた後方に延在するほぼ水平な一対のトレイ柱部３５が形成されており、各トレイ柱部３５は、アームレスト２３それぞれの下部分に形成されたソケット部２８に収まるように形成されている。各トレイ柱部３５は、柱本体部と第１反摩擦部材３６とを有しており、第１反摩擦部材３６は、この実施形態において、柱本体部の先端部に取り付けられた第１ローラ部３６の形式をなして柱本体部の上面に沿って位置し、第１ローラ部３６は、トレイ柱部３５がソケット部２８内で移動するようにソケット部２８の上面に係合する。さらに、各アームレスト２３のソケット部２８は、図２において最もよく示されるように、ソケット本体部と第２反摩擦部材２９とを有しており、第２反摩擦部材２９は、この実施形態において、ソケット本体部の前端部の近傍にあるソケット本体部の下面においてアームレスト２３の構造体に組み込まれた第２ローラ部２９の形式をなしている。第２ローラ部２９は、トレイ柱部３５それぞれの柱本体部の下面を支持しており、トレイ柱部３５それぞれは、ソケット部２８のソケット本体部内で移動する。トレイ柱部３５の柱本体部の先端部にある第１ローラ部３６とソケット部２８のソケット本体部の前方近傍にある第２ローラ部２９と共に、トレイ柱部３５は、摩擦力に対する不安なく楽にソケット部２８内を移動する。
【００４０】
構造的な観点から、下部トレイ３２は、比較的平坦なトレイ部材３３であってトレイ部材３３の両側に横方向脚部３４を有するトレイ部材３３のように形成されており、横方向脚部３４から後方に延在するトレイ柱部３５の上方にトレイ部材３３を持ち上げる。下部トレイ３２の中央部分には、トレイ部材３３から下方に突出する保持ホーン部材３９が形成されており、トレイシステム３０が幼児椅子構造体１０に取り付けられているときにシート部材２０に配置されている子供の移動を制限する。保持ホーン部材３９は、シート部材２０のシート部分２２に対して下部トレイ３２と共に位置的に調節可能である。さらに、下部トレイ３２が幼児椅子構造体１０から取り外されると、第１及び第２トレイ部材３２、４０と保持ホーン部材３９とのようなシート部分２２に子供を配置することに対するすべての障害は、幼児椅子構造体１０から取り除かれ、子供のシート部分２２への位置付けを容易にする。
【００４１】
第１及び第２ローラ部３６、２９は、第１及び第２ローラ部３６、２９がトレイ柱部３５及びソケット部２８の間の摩擦の問題を本質的に排除する回転面を与えるため、本発明の好ましい実施形態である。しかしながら、第１及び第２ローラ部３６、２９は、ナイロンまたはテフロン（登録商標）のような耐摩擦、低摩擦係数の材料で形成された反摩擦柱部（図示略）であってソケット部２８のソケット本体部の頂部とトレイ柱部３５の底部とに形成された対応する反摩擦溝部（図示略）内をスライドし、トレイ柱部３５及びソケット部２８の間で最小摩擦を有するトレイ柱部３５及びソケット部２８の間に接触点を形成し、トレイシステム３０の位置付け及び調節を容易にする反摩擦柱部で置換されてもよい。
【００４２】
また、当業者は、トレイ部材（すなわち、下部トレイ３２、上部トレイ４０）とトレイ挿入部４７との重量が横方向脚部３４を介してトレイ柱部３５の柱本体部の前方端部にかかり、トレイ柱部３５がソケット部２８に取り付けられると片持ち梁のように一端が飛び出す配置を形成するため、第１ローラ部３６がトレイ柱部３５それぞれの柱本体部の先端部の頂部に配置され、第２ローラ部２９がアームレスト２３それぞれのソケット部２８のソケット本体部の前方における下面に位置することを理解するだろう。このため、トレイ柱部３５は、ソケット部２８の内部で通常傾いており、各トレイ柱部３５の柱本体部の先端部は、アームレスト２３それぞれのソケット部２８の上面内に向けて押圧され、トレイ柱部３５は、ソケット部２８の下前方面に載る。しかしながら、この配置と共に、トレイ組立体３０の前方部にかかる上向きの力は、ソケット部２８内でのトレイ柱部３５のいくらかの運動を引き起こす。したがって、任意的な第３ローラ部（図示略）は、第２ローラ部２９から後方に間隔のあいた選択位置において各アームレスト２３のソケット部２８のソケット本体部の下面に向けて配置され、トレイ柱部３５それぞれがソケット部２８内に受けられるときにトレイ柱部３５それぞれに追加の支持部を形成する。
【００４３】
操作上、大型の上部トレイ４０を小型の下部トレイ３２への取り付けは、下部トレイ３２が幼児椅子１０に調節可能に取り付けられていると、トレイシステム３０全体がシート部分２２に対して位置的に調節されることを可能とし、異なるサイズの子供に適応する。位置調節作動機構５０（以降同様に「ラッチ機構５０」と称される）は、以下でより詳細に説明され、ただトレイ柱部３５をソケット部２８と一直線にして位置調節作動機構５０を操作することなく後方を向く力を用いてトレイ柱部３５をソケット部２８に挿入することによって、トレイシステム３０が幼児椅子構造体１０に取り付けられることを可能とする。したがって、トレイシステム３０は、世話をする人の片手によって幼児椅子構造体１０に配置され、これは、特に子供を保持している世話をする人にとって非常に有利である。さらに、大型の上部トレイ４０の位置が調節可能になるだけでなく、下部トレイ３２の位置が同様に幼児椅子構造体１０に対して調節される。
【００４４】
位置調節作動機構５０は、下部トレイ３２内に収容され、作動部材５２を有し、作動部材５２は、この実施形態において作動ボタン５２の形式をなし、作動部材５２へのアクセスの利便のために下部トレイ３２の前方に位置する。好ましくは、作動ボタン５２は、下部トレイ３２の頂部にある大型の上部トレイ４０の位置付けに適合するのに十分な距離だけ下部トレイ３２から外方に突出し、上部トレイ４０が下部トレイ３２の頂部に位置すると、作動ボタン５２の表面は、上部トレイ４０の前方端部とほぼ揃えられる。上部トレイ４０のこの位置付けを可能とするため、上部トレイ４０には、上部トレイ４０の前方端部において対応するノッチ部４２が形成されており、作動ボタン５２を収容する。
【００４５】
各アームレスト２３のソケット部２８の下面には、長手方向に間隔のあいた一連の開口部が形成されており、ラッチ機構５０のラッチ部材５５それぞれの先端部を形成するロックピン５５ａを受ける。ラッチ部材５５は、ロックピン５５ａがトレイ柱部３５それぞれから突出してソケット部２８にある開口部の選択した１つと係合した状態で、トレイ柱部３５の先端部においてそれぞれのトレイ柱部３５内に回動可能に取り付けられており、下部トレイ３２が幼児椅子構造体１０のシート部材２０に取り付けられると開口部に係合し、各開口部は、シート部材２０に対するトレイシステム３０の調節位置に対応している。好ましくは、回動されたラッチ部材５５は、スプリング５６によってロックピン５５ａがソケット部２８の開口部と係合するように付勢されており、下部トレイ３２は、能動的動作が始められてラッチ部材５５がソケット部２８の選択された開口部との係合から開放されるまで選択位置で保持される。
【００４６】
ロックピン５５ａをソケット部２８の下面にある選択された開口部との係合から開放することを強制する能動的動作は、船首から船尾への方向におけるスライド運動のためにそれぞれのトレイ柱部３５内でスライド取り付けされたスライド装置の作動腕部５７それぞれによってもたらされる。作動腕部５７には、カム面５８が形成されており、カム端部５８は、ラッチ部材５５と係合し、作動腕部５７が後方にスライドするように動作されて長方形のロックピン５５ａをトレイ柱部３５それぞれに後退させるとスプリング５６によってかけられる付勢力に抗してラッチ部材５５の上方への回動運動を強制するように位置付けられている。作動腕部５７の前方位置には、上方に突出する係合部材５９が形成されている。
【００４７】
作動ボタン５２は、スライド装置のスライド連結部５３の前方に延在する部分であり、スライド連結部５３は、図６〜図９で最もよく示されるように、下部トレイ３２の下方における長手方向のスライド運動のために取り付けられている。スライド連結部５３は、Ｔ字状をなし、係合カップ部５４内で終端する横方向に延在する腕部を有する。各係合カップ部５４は、係合カップ部５４に作動腕部５７それぞれの係合部材５９を捕捉する。したがって、作動ボタン５２を押下する動作は、スライド連結部５３を下部トレイ３２の下方で後方に移動させ、ひいては、係合カップ部５４の後方への運動に影響を及ぼす。係合部材５９が作動腕部５７それぞれに形成されており、係合カップ部５４内で受けられているため、係合カップ部５４の後方への運動は、作動腕部５７に同様にトレイ柱部３５それぞれの内での後方へのスライドをもたらし、作動腕部５７のカム端部５８がラッチ部材５５それぞれと係合することを強制し、スプリング５６の付勢力に抗してラッチ部材５５の上方への回動運動をもたらし、ラッチ部材５５のロックピン５５ａは、アームレスト２３それぞれのソケット部２８にある選択された開口部から係合解除される。スライド連結部５３は、スプリング５１によって前方にバネ荷重されてラッチ機構５０をロックピン５５ａがトレイ柱部３５それぞれから延在されるロック位置に付勢する。したがって、作動ボタン５２は、十分な力が付与されてスプリング５１によってかけられた力を越えている限り、押圧されたままとなる。
【００４８】
図２において最もよく示されるように、ソケット部２８それぞれに隣接する各アームレスト２３の外面は、上方かつ後方に傾斜しており、トレイ柱部３５それぞれが最初にアームレスト２３それぞれのソケット部２８内へ挿入されると、ラッチ部材５５それぞれの長方形のロックピン５５ａと接触するカム面を形成する。カム面及びロックピン５５ａの間の係合接触は、ラッチ部材５５それぞれがスプリング５６の付勢力に抗してトレイ柱部３５それぞれ内へ上方に回動することを強制し、ロックピン５５ａは、トレイ柱部３５のソケット部２８内への運動を制限しない。したがって、各ロックピン５５ａは、スプリング５６がラッチ部材５５を下方に回動させてロックピン５５ａをこの開口部と係合させソケット部２８内のトレイ柱部３５それぞれの後方への運動を停止するとすぐ、それぞれのトレイ柱部３５内へ後退し、ロックピン５５ａがアームレスト２３それぞれのソケット部２８にある複数の開口部の第１開口部と整列するまで第２ローラ部２９を越えてスライドする。
【００４９】
そして、トレイシステム３０のさらなる後方への運動は、作動ボタン５２を押下してトレイシステム３０の所望の位置付けが達成されるまでラッチ部材５５を持ち上げてこの結果ロックピン５５ａを後退させることによって達成される。好ましくは、ロックピン５５ａの前方側は、四角に区切られており(squared off)、トレイシステム３０にかけられる前方の長手方向の力は、アームレスト２３それぞれのソケット部２８にある選択された開口部との係合からロックピン５５ａが跳ね上がるカム作用をもたらさない。ロックピン５５ａの後方側には、鋭角の後退角が形成されており、後方への長手方向の力がアームレスト２３それぞれのソケット部２８からロックピン５５ａを抜け出させることを防止する。このため、トレイ柱部３５それぞれがソケット部２８内へ最初に挿入されることでいったんロックピン５５ａがアームレスト２３それぞれのソケット部２８にある第１開口部と整列されると、位置調節作動機構５０の動作は、トレイシステム３０における船首から船尾への位置を調節するか、それともトレイシステム３０を幼児椅子構造体１０からの取外しに作用する必要がある。
【符号の説明】
【００５０】
１０  幼児椅子構造体、２０  シート部材、２２  シート部分、２３  アームレスト，直立側壁部，側壁部、２８  ソケット部、３０  トレイシステム，複数トレイシステム，トレイ組立体、３２  第１トレイ部材，下部トレイ，部材、３５  トレイ柱部、５０  位置調節作動機構，ラッチ機構、５２  作動ボタン，作動部材、５３  スライド連結部、５４  係合カップ部、５５  ラッチ部材、５５ａ  ロックピン、５７  作動腕部、５８  カム端部，カム面、５９  係合部材
【図１】
0005468791.tif 000002
【図２】
0005468791.tif 000003
【図３】
0005468791.tif 000004
【図４】
0005468791.tif 000005
【図５】
0005468791.tif 000006
【図６】
0005468791.tif 000007
【図７】
0005468791.tif 000008
【図８】
0005468791.tif 000009
【図９】
0005468791.tif 000010
【図１０】
0005468791.tif 000011